(57)【特許請求の範囲】
【請求項１】
非常モードを少なくとも備えた携帯端末機であって、
自機の電源をオフにする電源オフ指示を受け付ける受付手段と、
自機の現在地を示す位置情報を取得する取得手段と、
通信手段と、
自機が非常モードに設定されている場合は、前記受付手段が前記電源オフ指示を受け付けると、前記取得手段に位置情報を取得させずに、前記取得手段及び前記通信手段を含む自機の一部に対する電源供給を停止する制御を行い、所定時間経過後に前記取得手段及び前記通信手段を含む自機の一部に対する電源供給を再開して前記取得手段に位置情報を取得させ、前記通信手段に当該位置情報をネットワークを介して他の通信装置へ送信させる制御手段とを備える
ことを特徴とする携帯端末機。
【請求項２】
受付手段、取得手段、通信手段、及び制御手段を備えており非常モードを有する携帯端末機が実行する位置情報送信方法であって、
前記受付手段が、自機の電源をオフにする電源オフ指示を受け付ける受付ステップと、
前記取得手段が、自機の現在地を示す位置情報を取得する取得ステップと、
前記制御手段が、前記携帯端末機が非常モードに設定されている場合は、前記受付手段が前記電源オフ指示を受け付けると、前記取得手段に位置情報を取得させずに、前記取得手段及び前記通信手段を含む前記携帯端末機の一部に対する電源供給を停止する制御を行い、所定時間経過後に前記取得手段及び前記通信手段を含む自機の一部に対する電源供給を再開して前記取得手段に位置情報を取得させ、前記通信手段にネットワークを介して他の通信装置へ前記位置情報を送信させる制御ステップとを含む
ことを特徴とする位置情報送信方法。
【発明の詳細な説明】
【技術分野】
【０００１】
本発明は、ＧＰＳ（Ｇｌｏｂａｌ  Ｐｏｓｉｔｉｏｎｉｎｇ  Ｓｙｓｔｅｍ）等の測位システムを利用して、自機の現在地を示す位置情報を取得し、その位置情報を他の通信装置に送信することが可能な携帯端末機に関する。
【背景技術】
【０００２】
現在、ＧＰＳ機能付き携帯電話機が普及している。
ＧＰＳ機能付き携帯電話機は、ＧＰＳ測位した結果得られた自機の位置情報を、電子メールで他の携帯電話機、或いはパソコンに送信することができる。
また、下記の特許文献１には、ＧＰＳを利用して自分の位置情報を獲得し、位置情報サービスセンターから相手の位置情報を獲得し、地図情報を地図情報データベースから獲得し、両者の位置情報と地図を表示部に表示する携帯通信機器が開示されている。
【０００３】
ところで、子供が誘拐事件に巻き込まれることを憂慮して、ＧＰＳ機能付き携帯電話機等、自機の現在地をネットワークを介して他の通信装置に通知する現在地通知機能を備えた携帯端末機を子供に持たせる親が増えている。
【先行技術文献】
【特許文献】
【０００４】
【特許文献１】特開２００２−２６２３３８号公報
【発明の概要】
【発明が解決しようとする課題】
【０００５】
しかしながら、現在地通知機能を備えた携帯端末機を子供に持たせていても、その子供が誘拐された際に、誘拐犯が、その携帯端末機の電源をオフにして、現在地が他の通信装置に通知されないようにすることが容易に想定される。或いは、誘拐犯が、携帯端末機のバッテリーを外すことも考えられる。
そこで本発明は、誘拐犯によって自機の電源がオフにされる場合でも、自機の現在地を他の通信装置に送信することができる携帯端末機及び位置情報送信方法を提供することを目的とする。また、誘拐犯によって自機のバッテリーが外される場合でも、自機の現在地を他の通信装置に送信することができる携帯端末機及び位置情報送信方法を提供することを第２目的とする。
【課題を解決するための手段】
【０００６】
前記目的を達成するために、本発明に係る携帯端末機は、自機の電源をオフにする電源オフ指示を受け付ける受付手段と、自機の現在地を示す位置情報を取得する取得手段と、通信手段と、前記受付手段が前記電源オフ指示を受け付けると、前記取得手段に位置情報を取得させた後に、前記通信手段に当該位置情報をネットワークを介して他の通信装置に送信させる制御手段とを備えることを特徴とする。
【０００７】
また、前記目的を達成するために、本発明に係る位置情報送信方法は、携帯端末機に用いられる位置情報送信方法であって、自機の電源をオフにする電源オフ指示を受け付けるステップと、自機の現在地を示す位置情報を取得するステップと、電源オフ指示を受け付けると、位置情報を取得するステップの後に、位置情報をネットワークを介して他の通信装置に送信させるステップとを含むことを特徴とする。
【０００８】
ここで、「電源をオフにする」とは、一般的な電源オン／オフ機能を有する電子機器と同様で、全ての機能部に対する電源供給を停止にすることではなく、主要な機能部に対する電源供給を停止することを意味する。一般的には、電子機器の電源がオフにされても、電子機器の各機能部の制御を行う制御部若しくはその一部、電源をオンにする指示を受け付ける操作部の一部及び時間を計時する計時部等に対する電源供給は停止されない。
【発明の効果】
【０００９】
本発明に係る携帯端末機は、電源オフ指示を受け付ける、又は電池或いは電池蓋の取り外しを検出すると、これに起因して、位置情報を他の通信装置に送信するので、例えば、その携帯端末機を保持していた子供が誘拐された場合、誘拐犯が機転を利かしたつもりで電源をオフにする操作を行なう、或いは電池を取り外そうとすると、誘拐犯の現在地が、他の通信装置に送信され、誘拐された子供の親や警察に知らされることになり、事件の早期解決に役立つ。
【００１０】
ここで、前記携帯端末機は、時間を計時する計時手段を更に備え、前記制御手段は、前記通信手段に前記位置情報を他の通信装置へ送信させた後に、前記電源オフ指示に基づいて、前記取得手段及び前記通信手段を含む自機の一部に対する電源供給を停止する制御を行い、前記計時手段は、前記電源供給が停止されてから所定時間を計時して、所定時間経過した時点でその旨を前記制御手段に通知し、前記制御手段は、更に、前記計時手段から前記通知を受けることにより前記取得手段及び前記通信手段を含む自機の一部に対する電源供給を再開する制御を行い、その後、前記取得手段に位置情報を取得させ、前記通信手段に当該位置情報をネットワークを介して他の通信装置へ送信させるとしてもよい。
【００１１】
これにより、電源がオフされる前に送信された位置情報が、通信障害等のなんらかの理由によって、他の通信装置に届かないことがあったとしても、再び、電源供給が再開され、位置情報を取得して、当該位置情報をネットワークを介して他の通信装置に送信されるので、確実に位置情報を他の通信装置に送信することができる。
また、前記携帯端末機は、時間を計時する計時手段を更に備え、前記制御手段は、前記電源オフ指示に基づいて、前記取得手段及び前記通信手段を含む自機の一部に対する電源供給を停止する制御を行い、前記計時手段は、前記電源供給が停止されてから所定時間を計時して、所定時間経過した時点でその旨を前記制御手段に通知し、前記制御手段は、更に、前記計時手段から前記通知を受けることにより前記取得手段及び前記通信手段を含む自機の一部に対する電源供給を再開する制御を行い、その後、前記取得手段に位置情報を取得させ、前記通信手段に当該位置情報をネットワークを介して他の通信装置へ送信させるとしてもよい。
【００１２】
一般的に位置情報の取得には時間がかかることが想定されるので、電源オフ指示を受ければ、直ちに電源をオフにする処理を行い、その後、電源の供給が再開されてから位置情報を取得して、ネットワークを介して当該位置情報を他の通信装置に送信するようにすることで、例えば、誘拐犯が、電源ボタンを押下して、携帯端末機の電源を切ろうとする際に、通常通りの時間感覚で電源が切れるので、誘拐犯に不審を抱かせることがない。
【００１３】
ここで、前記受付手段は、更に、自機のモードを通常モードから非常モードに切り替える非常モード設定指示を受け付け、前記制御手段は、更に、前記非常モード設定指示に基づいて自機を非常モードに設定し、自機が非常モードに設定されている場合に限り、前記計時手段は、前記電源供給が停止されてから所定時間を計時して、所定時間経過した時点でその旨を前記制御手段に通知し、前記制御手段は、更に、前記計時手段から前記通知を受けることにより前記取得手段及び前記通信手段を含む自機の一部に対する電源供給を再開する制御を行い、その後、前記取得手段に位置情報を取得させ、前記通信手段に当該位置情報をネットワークを介して他の通信装置へ送信させるとしてもよい。
【００１４】
この構成により、ユーザは、自機のモードを通常モードと非常モードのいずれかに切り替えることができ、自機が非常モードに設定されている場合に限り、前記携帯端末機は、上述の動作を行うので、不用意に位置情報が他の通信装置へ送信されることを防止することができる。
ここで、前記携帯端末機は、更に、表示手段と、音声出力手段とを備え、前記制御手段は、前記電源オフ指示に基づいて、前記表示手段及び前記音声出力手段を含む自機の一部に対する電源供給を停止する制御を行い、前記計時手段から前記通知を受けることにより前記表示手段及び前記音声出力手段を除く自機の一部に対する電源供給を再開する制御を行うとしてもよい。
【００１５】
これにより、前記制御手段は、電源オフ指示により前記表示手段及び前記音声出力手段に対する電源供給を停止した後、前記計時手段から前記通知を受けると、前記表示手段及び前記音声出力手段に対する電源供給は再開しないので、電力消費量を抑えることができ、また、電源供給の再開を誘拐犯に気付かれにくくすることができる。
また、前記制御手段は、前記取得手段及び前記通信手段を含む自機の一部に対する電源供給を停止する制御を行い、所定時間後に前記取得手段及び前記通信手段を含む自機の一部に対する電源供給を再開し、前記取得手段に位置情報を取得させ、前記通信手段に当該位置情報をネットワークを介して他の通信装置へ送信させる一連の制御を、繰り返し行うとしてもよい。
【００１６】
この構成の携帯端末機を保持していた子供が仮に誘拐された場合、誘拐犯の現在地が逐次他の通信装置に送信されるので、事件の早期解決に役立つ。
また、前記携帯端末機は、更に、電子メール機能と、電子メール相手のメールアドレスを記憶する記憶手段とを備え、前記制御手段は、前記記憶手段に記憶されている所定のメールアドレスを宛先とし、前記取得手段に取得させた位置情報を含む電子メールを作成し、当該電子メールを前記通信手段に送信させるとしてもよい。
【図面の簡単な説明】
【００１７】
【図１】ＧＰＳ機能付き携帯電話機１の外観を示す図である。
【図２】ＧＰＳ機能付き携帯電話機１の機能構成を示す図である。
【図３】非常モードの設定処理を説明するために用いるフロー図である。
【図４】実施形態１の位置情報送信処理を説明するために用いるフロー図である。
【図５】変形例の位置情報送信処理を説明するために用いるフロー図である。
【図６】本体からバッテリー１０を取り外した状態の、ＧＰＳ機能付き携帯電話機１Ａの裏側外観を示す図である。
【図７】ＧＰＳ機能付き携帯電話機１Ａの機能構成を示す図である。
【図８】実施形態２の位置情報送信処理を説明するために用いるフロー図である。
【発明を実施するための形態】
【００１８】
以下、本発明の実施の形態について、図面を用いて説明する。
＜実施形態１＞
＜概要＞
実施形態１に係るＧＰＳ機能付き携帯電話機は、通常モードから非常モードに切り替える非常モード設定機能を有している。
【００１９】
ここでいう非常モードとは、そのＧＰＳ機能付き携帯電話機の所有者が事前に非常モードに設定しておくことで、その所有者が誘拐犯に誘拐された場合、当該誘拐犯が、当該ＧＰＳ機能付き携帯電話機の電源を切ろうすれば、当該ＧＰＳ機能付き携帯電話機は、電源オフ指示の受け付けに起因して、ＧＰＳ測位をして得られた位置情報を、予め設定したメールアドレスを宛先とする電子メールに記載して送信する。
＜構成＞
図１は、ＧＰＳ機能付き携帯電話機１の外観を示す図である。
【００２０】
同図には、ユーザから各種指示を受け付けるための操作部２（点線囲み部分）、画面を表示する表示部３が示されている。
操作部２は、一般的な携帯電話機に備わる０から９までのテンキーボタンや、オンフックボタン、オフフック兼電源オン／オフボタン（以下、単に「電源ボタン」と言う。）２Ａ等の各種ボタンを有し、各種ボタンが押下されることによってユーザから各種指示を受け付ける。
【００２１】
図２は、ＧＰＳ機能付き携帯電話機１の機能構成を示す図である。
ＧＰＳ機能付き携帯電話機１は、操作部２、表示部３、アンテナ４、無線通信部５、ＧＰＳアンテナ６、ＧＰＳ処理部７、スピーカ部８、マイク部９、バッテリー１０、電源回路１１、計時部１２、制御部１４及び記憶部１５を備える。
ＧＰＳ機能付き携帯電話機１の機能構成は、従来のＧＰＳ機能付き携帯電話機１と基本的には同じである。
【００２２】
アンテナ４は、一般的な携帯電話機に備わるアンテナと同様であり、音声やデータ等を搬送する搬送波の送受を行う。受信した搬送波信号は、無線通信部５に送られる。
無線通信部５は、アンテナ４が受信した搬送波信号及び制御部１４から伝送されてきた音声や映像等の圧縮信号に対して、変復調処理、増幅処理、Ａ／Ｄ及びＤ／Ａ変換処理といった、送受信に係る一連の処理を行う機能部である。
【００２３】
ＧＰＳアンテナ６は、複数のＧＰＳ衛星から遂次送信されている電波をそれぞれ受信するアンテナである。受信した信号はＧＰＳ処理部７に送られる。
ＧＰＳ処理部７は、ＧＰＳアンテナ６から送られてきた信号に基づいて、位置情報を算出する機能を有する。算出した位置情報は制御部１７に伝送される。
制御部１４は、マイクロプロセッサ、ＤＳＰ（Ｄｉｇｉｔａｌ  Ｓｉｇｎａｌ  Ｐｒｏｃｅｓｓｏｒ）等によって構成されており、記憶部１５に記憶されている各種プログラムに従って各機能部の制御を行う。
【００２４】
記憶部１５には、後述する非常モード設定用プログラムや、非常モード時の位置情報送信処理用プログラム等の各種プログラムの他、着信音のデータや、メールアドレスや電話番号等のデータ等を記憶している。
スピーカ部８は、制御部１４から伝送されてきた電気信号を音に変換して出力する。
マイク部９は、音を拾って電気信号に変換して制御部１４に伝送する。
【００２５】
電源回路１１は、制御部１４の制御に従ってバッテリー１０に蓄電する機能や、バッテリー１０から出力される電圧をコントロールして、機器内の各部品に安定した電圧を送る機能を有する。
計時部１２は、時間を計時する機能を有する。
＜動作＞
ＧＰＳ機能付き携帯電話機１は、上述したように非常モード設定機能を有する。
【００２６】
図３は、非常モードの設定処理を説明するために用いるフロー図である。
まず、ＧＰＳ機能付き携帯電話機１は、ユーザから非常モードの設定画面の表示指示を操作部２を介して受けると、制御部１４は、記憶部１５に記憶している非常モード設定用のプログラムを読み出して実行し、表示部３に非常モードの設定画面の表示を行う（ステップＳ１）。
【００２７】
次に、操作部２に対するユーザの操作により、非常モードをオンにする指示を受け付けた場合（ステップＳ２：ＹＥＳ）、制御部１４は、非常モードがオンであることを示すフラグ情報を記憶部１５に記憶する。すなわち、ＧＰＳ機能付き携帯電話機１のモードを非常モードとして設定する（ステップＳ３）。
続いて、ユーザから、非常モード時に現在地を通知する宛先のメールアドレスの設定を受け付けて、設定し（ステップＳ４）、処理を終了する。
【００２８】
ステップＳ２において、非常モードをオンにする指示を受け付けなかった場合（ステップＳ２：ＮＯ）、前記フラグ情報を記憶部１５に記憶せずに、非常モードではない、すなわち、通常モードのまま（ステップＳ５）で処理を終了する。
次に、非常モードに設定されている場合に行われる、位置情報の送信処理について説明する。
【００２９】
図４は、ＧＰＳ機能付き携帯電話機１の非常モード時の位置情報送信処理を説明するために用いるフロー図である。
まず、ＧＰＳ機能付き携帯電話機１の電源がオンの状態の時に、ユーザから電源ボタンの押下、すなわち、ユーザから電源をオフにする指示を受け付けると（ステップＳ１１：ＹＥＳ）、制御部１４は、記憶部１５に非常モードがオンであることを示すフラグ情報が記憶されているかどうか、すなわち、自機が非常モードに設定されているかどうかを確認する（ステップＳ１２）。
【００３０】
自機が非常モードに設定されていれば（ステップＳ１２：ＹＥＳ）、制御部１４は、ＧＰＳ処理部７にＧＰＳ測位を行わせて、自機の現在地を示す位置情報を取得させる（ステップＳ１３）。続いて、制御部１４は、当該位置情報を記載した、予め設定されているメールアドレスを宛先とする電子メールを作成して、無線通信部５を介して送信する（ステップＳ１４）。
【００３１】
その後、制御部１４は、図２に示す電源回路１１、計時部１２、制御部１４以外の機能部、すなわち、操作部２、表示部３、無線通信部５、GPS処理部７、スピーカ部８、マイク部９、記憶部１５に対する電源供給を停止する電源オフ処理を行う（ステップＳ１５）。
計時部１２は、電源オフ処理が行われてから、計時を開始し（ステップＳ１６）、所定時間（例えば、１０分）が経過した時点で（ステップＳ１７：ＹＥＳ）、その旨を制御部１４に通知する。
【００３２】
前記通知を計時部１２から受けた制御部１４は、自機の一部の機能部への電源供給を再開する一部電源オン処理を行う（ステップＳ１８）。
ここで、電源供給が再開される一部の機能部は、無線通信部５、ＧＰＳ処理部７であり、操作部２、表示部３、スピーカ部８、マイク部９に対しての電源供給は再開されない。そして、この一部電源オン処理では、表示部２に待ち受け画面等が表示されることもなく、起動時の効果音が鳴ることもないので、電源供給が再開されたことが、誘拐犯に容易に気付かれることはない。
【００３３】
電源供給が再開されると、制御部１４は、ステップＳ１３に戻って、図４に示すステップＳ１３〜ステップＳ１８の動作を繰り返し行う。
ステップＳ１２において、記憶部１５に前記フラグ情報が記憶されていない場合、すなわち、非常モードに設定されていなければ（ステップＳ１２：ＮＯ）、通常通り、電源オフ処理を行う（ステップＳ１９）。
【００３４】
このように、ＧＰＳ機能付き携帯電話機１が予め非常モードに設定されていれば、電源オフ指示を起因として、自機の位置情報を取得して、当該位置情報を記載した、予め設定されているメールアドレスを宛先とする電子メールを作成して送信するので、非常モードに設定されたＧＰＳ機能付き携帯電話機１を子供に持たせておけば、もしその子供が誘拐犯に誘拐され、その誘拐犯によってＧＰＳ機能付き携帯電話機１の電源がオフにされることがあっても、自機の現在地を、予め設定されているメールアドレス、例えば、親の携帯電話機のメールアドレス宛てに送信されるので、事件の早期解決に役立つ。
【００３５】
また、電源オフ処理がなされてから所定時間毎に、一部の機能部に対する電源供給が再開され、再び位置情報を取得して、その位置情報を電子メールで送信するということを繰り返し行うので、子供が誘拐されている場合、その誘拐犯に気付かれることなくその足取りを掴むことができる。
＜変形例＞
ＧＰＳ機能付き携帯電話機１が非常モードに設定されている場合に行われる、位置情報の送信処理は、以下に示す変形例が考えられる。
【００３６】
図５は、ＧＰＳ機能付き携帯電話機１の非常モード時における位置情報送信処理の変形例を説明するために用いるフロー図である。
まず、ＧＰＳ機能付き携帯電話機１の電源がオンの状態の時に、ユーザから電源ボタンの押下、すなわち、ユーザから電源を切断する指示を受け付けると（ステップＳ２１：ＹＥＳ）、制御部１４は、記憶部１５に非常モードがオンであることを示すフラグ情報が記憶されているかどうか、すなわち、非常モードに設定されているかどうかを確認する（ステップＳ２２）。
【００３７】
非常モードに設定されていれば（ステップＳ２２：ＹＥＳ）、制御部１４は、図２に示す電源回路１１、計時部１２、制御部１４以外の機能部に対する電源供給を停止する電源オフ処理を行う（ステップＳ２３）。
計時部１２は、電源オフ処理が行われてから、計時を開始し（ステップＳ２４）、所定時間（例えば、１０分）が経過した時点で（ステップＳ２５：ＹＥＳ）、その旨を制御部１４に通知する。
【００３８】
前記通知を計時部１２から受けた制御部１４は、自機の一部の機能部への電源供給を再開する一部電源オン処理を行う（ステップＳ２６）。
制御部１４は、一部の機能部への電源供給を再開した後に、ＧＰＳ処理部７にＧＰＳ測位を行わせて、自機の現在地を示す位置情報を取得させる（ステップＳ２７）。続いて、制御部１４は、当該位置情報を記載した、予め設定されているメールアドレスを宛先とする電子メールを作成して、無線通信部５を介して送信する（ステップＳ２８）。
【００３９】
制御部１４は、ステップＳ２３に戻って、図５に示すステップＳ２３〜ステップＳ２８の動作を繰り返し行う。
ステップＳ２２において、記憶部１５に前記フラグ情報が記憶されていない場合、すなわち、非常モードに設定されていなければ（ステップＳ２２：ＮＯ）、通常通り、電源オフ処理を行う（ステップＳ２９）。
【００４０】
この変形例のＧＰＳ機能付き携帯電話機１は、電源ボタンの押下時に、位置情報の取得及び送信を行わずにそのまま電源オフ処理を行い、所定時間経過した後に、一部の機能部に対する電源供給の再開を行って、位置情報の取得及び当該位置情報を含む電子メールの送信という一連の処理を繰り返し行う。
この変形例の処理は、ＧＰＳ処理部７が位置情報を取得するのに時間がかかることを考慮している。誘拐犯が電源ボタンを押してから、ＧＰＳ機能付き携帯電話機１の電源がオフされるまでの時間が長くなると、誘拐犯が不審に思うことが想定されるので、電源オフ指示を受け付けた直後は、位置情報の取得を行わずに電源オフ処理をして、その後、電源供給を再開する一部電源オン処理後に、位置情報を取得して送信するようにしている。
＜実施形態２＞
＜構成＞
図６は、本体からバッテリー１０を取り外した状態の、ＧＰＳ機能付き携帯電話機１Ａの裏側外観を示す図である。
【００４１】
ＧＰＳ機能付き携帯電話機１Ａの表側外観は、図１に示したＧＰＳ機能付き携帯電話機１の外観と同様である。
バッテリー１０は、通常、ＧＰＳ機能付き携帯電話機１Ａ本体のバッテリー格納部１９に嵌合装着されており、ロック部１８によって留められている。バッテリー１０は、ＧＰＳ機能付き携帯電話機１Ａの外装の一部と一体化された構造となっており、バッテリー格納部１９の蓋を兼ねている。
【００４２】
バッテリー格納部１９内には、照度を測定するセンサ１６が設けられている。
図７は、ＧＰＳ機能付き携帯電話機１Ａの機能構成を示す図である。
基本的に実施形態１で説明した図２に示すＧＰＳ機能付き携帯電話機１の機能構成と同じであり、同じ機能部については同じ符号を付し、説明を省略する。
ＧＰＳ機能付き携帯電話機１Ａが、ＧＰＳ機能付き携帯電話機１の機能構成と異なる点は、センサ１６、予備バッテリー１７を備えている点である。
【００４３】
センサ１６は、バッテリー１０が本体から取り外されることによって、バッテリー格納部１９内に光が入るとこれを検出し、検出信号を制御部１４に送る。
＜動作＞
ＧＰＳ機能付き携帯電話機１Ａは、実施形態２のＧＰＳ機能付き携帯電話機１と同様に非常モード設定機能を有するので、その動作についての説明は省略する。
【００４４】
図８は、ＧＰＳ機能付き携帯電話機１Ａの非常モード時の位置情報送信処理を説明するために用いるフロー図である。
まず、ＧＰＳ機能付き携帯電話機１Ａの電源がオンの状態の時に、バッテリー１０が本体から取り外されることによって、バッテリー格納部１９内に光が入り、センサ１６が光を検出して、検出信号を制御部１４に送ると(ステップＳ３１：ＹＥＳ)、制御部１４は、電源回路１１に電源供給元をバッテリー１０から予備バッテリー１７に切り替える指示を送る。そして、制御部１４は、記憶部１５に非常モードがオンであることを示すフラグ情報が記憶されているかどうか、すなわち、自機が非常モードに設定されているかどうかを確認する（ステップＳ３２）。
【００４５】
自機が非常モードに設定されていれば（ステップＳ３２：ＹＥＳ）、制御部１４は、ＧＰＳ処理部７にＧＰＳ測位を行わせて、自機の現在地を示す位置情報を取得させる（ステップＳ３３）。続いて、制御部１４は、当該位置情報を記載した、予め設定されているメールアドレスを宛先とする電子メールを作成して、無線通信部５を介して送信し（ステップＳ３４）、処理を終了する。
＜補足＞
なお、本発明は以上で述べた実施の形態に限定されるものでないことは、勿論である。以下に示す内容も本発明に含まれる。
（１）上述の各実施形態は、ＧＰＳ機能付き携帯電話機を用いて説明したが、本発明は、携帯電話機に限られず、自機の位置情報を取得して、他の機器に送信することが可能な携帯端末機に適用することが可能である。例えば、無線通信機能及び位置情報取得機能を備えたＰＤＡ（Ｐｅｒｓｏｎａｌ  Ｄｉｇｉｔａｌ  Ａｓｓｉｓｔａｎｔ）等がある。
【００４６】
また、位置情報の取得方法は、ＧＰＳの利用に限られず、例えば、複数の基地局からそれぞれの基地局の緯度経度情報の通知を受けて、電波強度を考慮して位置情報を算出する方法を用いてもよいし、従来用いられているいかなる取得方法を用いてもよい。
（２）上述の実施形態１において、非常モードの設定は、ＧＰＳ機能付き携帯電話機１の操作部２を操作することで設定されていたが、他の通信機器からＳＭＳ（Ｓｈｏｒｔ  Ｍｅｓｓａｇｅ  Ｓｅｒｖｉｃｅ）や、電子メール等でリモート設定することも可能である。その際、自由にリモート設定できないように、パスワードの入力を必須とすることが考えられる。
（３）上述の各実施形態では、取得した位置情報を電子メールに記載して予め設定されたメールアドレスを宛先として送信していたが、電子メール以外の他の通信方法で、位置情報を他の通信機器に送信してもよい。
（４）上述の各実施形態では、非常モードの設定を行っていたが、本発明は、非常モードの設定をすることなく、電源オフの指示を受け付けると、これに起因して位置情報を取得して、送信するものも含まれる。また、電源オフの指示を受け付ける前に取得していた位置情報を、電源オフの指示を受け付けた後に、送信してもよい。
（５）上述の各実施形態では、非常モードの設定時に、位置情報の送り先をユーザが設定していたが、予めサービス提供者が決めた所定のメールアドレス、緊急通報先のメールアドレス等がデフォルトで設定されていてもよい。
（６）非常モード時に電源ボタンが押下されることに起因して作成される電子メールには、位置情報の他に、当該電子メールが非常モード時に作成され送信された電子メールであることを示す一文が記載されていてもよい。例えば、「緊急！本メールは、非常モードに設定された携帯電話機から送信されたものです。送信元携帯電話機の電源は現在、切られている状態です。送信元携帯電話機の位置情報を記載していますので、ご確認下さい。」等が考えられる。
（７）上述の実施形態２では、バッテリー１０の取り外しをセンサ１６が明るさを検出することで検出していたが、ロック部１８が解除されたことを検出してもよい。
（８）本発明は、図４、５、８に示す各ステップ等を含む位置情報送信方法であるとしてもよい。
【産業上の利用可能性】
【００４７】
本発明は、現在地を示す位置情報を取得して、他の通信に送信することが可能な携帯端末機に適用することができる。
【符号の説明】
【００４８】
１    ＧＰＳ機能付き携帯電話機
２    操作部
２Ａ  電源ボタン
３    表示部
４    アンテナ
５    無線通信部
６    ＧＰＳアンテナ
７    ＧＰＳ処理部
８    スピーカ部
９    マイク部
１０  バッテリー
１１  電源回路
１２  計時部
１４  制御部
１５  記憶部
１６  センサ
１７  予備バッテリー
１８  ロック部
１９  バッテリー格納部
【図１】
0005438164.tif 000002
【図２】
0005438164.tif 000003
【図３】
0005438164.tif 000004
【図４】
0005438164.tif 000005
【図５】
0005438164.tif 000006
【図６】
0005438164.tif 000007
【図７】
0005438164.tif 000008
【図８】
0005438164.tif 000009